(57)【要約】【課題】電力の授受を安全に行い得る電子機器およびその制御方法ならびにプログラムを提供する。【解決手段】送電装置からの電力を受け取るコネクタと、送電装置に対して電力の供給を要求する要求手段と、送電装置が真正であるか否かを判定する判定手段とを有し、第１の電力の供給を要求手段によって送電装置に対して要求した後に、送電装置が真正であるか否かを判定手段によって判定し、送電装置が真正であることが判定手段によって判定された場合に、第１の電力より大きい第２の電力の供給を要求手段によって送電装置に対して要求する。【選択図】図１
2019121268.tif 000002
【特許請求の範囲】
【請求項１】
送電装置からの電力を受け取るコネクタと、
前記送電装置に対して電力の供給を要求する要求手段と、
前記送電装置が真正であるか否かを判定する判定手段とを有し、
第１の電力の供給を前記要求手段によって前記送電装置に対して要求した後に、前記送電装置が真正であるか否かを前記判定手段によって判定し、前記送電装置が真正であることが前記判定手段によって判定された場合に、前記第１の電力より大きい第２の電力の供給を前記要求手段によって前記送電装置に対して要求する
ことを特徴とする電子機器。
【請求項２】
前記送電装置が真正であることを示す情報を前記送電装置から受信したことに基づいて、前記判定手段は、前記送電装置が真正であると判定することを特徴とする請求項１に記載の電子機器。
【請求項３】
前記コネクタは、前記送電装置からの電力を受け取るための第１の端子と、前記送電装置との間で通信を行うための第２の端子とを有し、
前記要求手段は、前記第２の端子を介して行われる第１の通信によって、前記送電装置に対して電力の供給を要求し、
前記判定手段は、前記第２の端子を介して行われる第２の通信に基づいて、前記送電装置が真正であるか否かを判定することを特徴とする請求項１または２に記載の電子機器。
【請求項４】
前記第１の電力は、前記送電装置が真正であるか否かの判定を行うために必要な最低限の電力であることを特徴とする請求項１から３のいずれか１項に記載の電子機器。
【請求項５】
前記送電装置が真正であることは、前記送電装置がＵＳＢ規格に準拠していることと同義であることを特徴とする請求項１から４のいずれか１項に記載の電子機器。
【請求項６】
受電装置に対して電力を供給するコネクタと、
供給可能な電力を示す情報を前記受電装置に対して提示する提示手段と、
前記受電装置が真正であるか否かを判定する判定手段とを有し、
第１の電力を示す情報を前記提示手段によって前記受電装置に対して提示した後に、前記受電装置が真正であるか否かを前記判定手段によって判定し、前記受電装置が真正であることが前記判定手段によって判定された場合に、前記第１の電力より大きい第２の電力を示す情報を前記提示手段によって前記受電装置に対して提示する
ことを特徴とする電子機器。
【請求項７】
前記受電装置が真正であることを示す情報を前記受電装置から受信したことに基づいて、前記判定手段は、前記受電装置が真正であると判定することを特徴とする請求項６に記載の電子機器。
【請求項８】
前記コネクタは、前記受電装置に対して電力を供給するための第１の端子と、前記受電装置との間で通信を行うための第２の端子とを有し、
前記提示手段は、前記第２の端子を介して行われる第１の通信によって、供給可能な電力を示す情報を前記受電装置に対して提示し、
前記判定手段は、前記第２の端子を介して行われる第２の通信に基づいて、前記受電装置が真正であるか否かを判定することを特徴とする請求項６または７に記載の電子機器。
【請求項９】
前記第１の電力は、ＵＳＢ規格に規定された電力のうちの最も低い電力であることを特徴とする請求項６から８のいずれか１項に記載の電子機器。
【請求項１０】
前記第１の電力は、０．５Ｗ（５Ｖ、１００ｍＡ）であることを特徴とする請求項６から９のいずれか１項に記載の電子機器。
【請求項１１】
前記受電装置が真正であることは、前記受電装置がＵＳＢ規格に準拠していることと同義であることを特徴とする請求項６から１０のいずれか１項に記載の電子機器。
【請求項１２】
前記受電装置に対して電力を供給する電力供給手段をさらに有し、
前記受電装置が真正でないことが前記判定手段によって判定された場合には、前記電力供給手段は、前記受電装置への電力の供給を停止することを特徴とする請求項６から１１のいずれか１項に記載の電子機器。
【請求項１３】
前記第１の通信および前記第２の通信は、ＵＳＢ規格に規定された通信であることを特徴とする請求項３または８に記載の電子機器。
【請求項１４】
前記コネクタは、ＵＳＢ  Ｔｙｐｅ−Ｃ規格に準拠していることを特徴とする請求項１から１３のいずれか１項に記載の電子機器。
【請求項１５】
前記第１の電力および前記第２の電力は、ＵＳＢ規格に規定された範囲内の任意の電力であることを特徴とする請求項１から１４のいずれか１項に記載の電子機器。
【請求項１６】
第１の電力の供給を送電装置に対して要求するステップと、
前記第１の電力の供給を前記送電装置に対して要求するステップの後に、前記送電装置が真正であるか否かを判定するステップと、
前記送電装置が真正であると判定された場合に、前記第１の電力より大きい第２の電力の供給を前記送電装置に対して要求するステップと
を有することを特徴とする電子機器の制御方法。
【請求項１７】
供給可能な電力として第１の電力を受電装置に対して提示するステップと、
前記第１の電力を前記受電装置に対して提示するステップの後に、前記受電装置が真正であるか否かを判定するステップと、
前記受電装置が真正であると判定された場合に、前記第１の電力より大きい第２の電力を供給可能な電力として前記受電装置に対して提示するステップと
を有することを特徴とする電子機器の制御方法。
【請求項１８】
コンピュータに、
第１の電力の供給を送電装置に対して要求するステップと、
前記第１の電力の供給を前記送電装置に対して要求するステップの後に、前記送電装置が真正であるか否かを判定するステップと、
前記送電装置が真正であると判定された場合に、前記第１の電力より大きい第２の電力の供給を前記送電装置に対して要求するステップとを実行させるためのプログラム。
【請求項１９】
コンピュータに、
供給可能な電力として第１の電力を受電装置に対して提示するステップと、
前記第１の電力を前記受電装置に対して提示するステップの後に、前記受電装置が真正であるか否かを判定するステップと、
前記受電装置が真正であると判定された場合に、前記第１の電力より大きい第２の電力を供給可能な電力として前記受電装置に対して提示するステップとを実行させるためのプログラム。
【発明の詳細な説明】
【技術分野】
【０００１】
本発明は、電子機器およびその制御方法ならびにプログラムに関する。
【背景技術】
【０００２】
データ伝送を行い得るとともに電力の受給電を行い得るインターフェースが備えられた電子機器が知られている。このようなインターフェースとしては、例えばＵＳＢ（Ｕｎｉｖｅｒｓａｌ  Ｓｅｒｉａｌ  Ｂｕｓ）が挙げられる。ＵＳＢに関する規格として、ＵＳＢ  ＰＤ（Ｐｏｗｅｒ  Ｄｅｌｉｖｅｒｙ）という規格が定められている。ＵＳＢ  ＰＤ規格においては、ＵＳＢホストコントローラやＡＣアダプタなどの送電装置から、ＵＳＢケーブルを介して、１００Ｗまでの電力を受電装置に供給することが可能である。ＵＳＢ  ＰＤ規格に対応する送電装置と受電装置とが互いに接続されると、Ｐｏｗｅｒ  Ｎｅｇｏｔｉａｔｉｏｎ通信（パワーネゴシエーション通信）によって、両者の間で電力情報が送受信される。このようなパワーネゴシエーションの結果に基づいて、送電装置から受電装置に対して電力が供給される。
【先行技術文献】
【特許文献】
【０００３】
【特許文献１】特開２０１５−３９２４８号公報
【発明の概要】
【発明が解決しようとする課題】
【０００４】
しかしながら、所定の規格のインターフェースを有しているにもかかわらず、当該インターフェースを有する装置が当該所定の規格に真正に対応していない場合がある。このような装置との間では、電力を安全に授受し得ない場合がある。
【０００５】
そこで、本発明の目的は、電力の授受を安全に行い得る電子機器およびその制御方法ならびにプログラムを提供することにある。
【課題を解決するための手段】
【０００６】
上記目的を達成するために、本発明に係る電子機器の一つは、送電装置からの電力を受け取るコネクタと、前記送電装置に対して電力の供給を要求する要求手段と、前記送電装置が真正であるか否かを判定する判定手段とを有し、第１の電力の供給を前記要求手段によって前記送電装置に対して要求した後に、前記送電装置が真正であるか否かを前記判定手段によって判定し、前記送電装置が真正であることが前記判定手段によって判定された場合に、前記第１の電力より大きい第２の電力の供給を前記要求手段によって前記送電装置に対して要求することを特徴とする。
【０００７】
上記目的を達成するために、本発明に係る電子機器の一つは、受電装置に対して電力を供給するコネクタと、供給可能な電力を示す情報を前記受電装置に対して提示する提示手段と、前記受電装置が真正であるか否かを判定する判定手段とを有し、第１の電力を示す情報を前記提示手段によって前記受電装置に対して提示した後に、前記受電装置が真正であるか否かを前記判定手段によって判定し、前記受電装置が真正であることが前記判定手段によって判定された場合に、前記第１の電力より大きい第２の電力を示す情報を前記提示手段によって前記受電装置に対して提示することを特徴とする。
【０００８】
上記目的を達成するために、本発明に係る電子機器の制御方法の一つは、第１の電力の供給を送電装置に対して要求するステップと、前記第１の電力の供給を前記送電装置に対して要求するステップの後に、前記送電装置が真正であるか否かを判定するステップと、前記送電装置が真正であると判定された場合に、前記第１の電力より大きい第２の電力の供給を前記送電装置に対して要求するステップとを有することを特徴とする。
上記目的を達成するために、本発明に係る電子機器の制御方法の一つは、供給可能な電力として第１の電力を受電装置に対して提示するステップと、前記第１の電力を前記受電装置に対して提示するステップの後に、前記受電装置が真正であるか否かを判定するステップと、前記受電装置が真正であると判定された場合に、前記第１の電力より大きい第２の電力を供給可能な電力として前記受電装置に対して提示するステップとを有することを特徴とする。
【０００９】
上記目的を達成するために、本発明に係るプログラムの一つは、コンピュータに、第１の電力の供給を送電装置に対して要求するステップと、前記第１の電力の供給を前記送電装置に対して要求するステップの後に、前記送電装置が真正であるか否かを判定するステップと、前記送電装置が真正であると判定された場合に、前記第１の電力より大きい第２の電力の供給を前記送電装置に対して要求するステップとを実行させる。
【００１０】
上記目的を達成するために、本発明に係るプログラムの一つは、コンピュータに、供給可能な電力として第１の電力を受電装置に対して提示するステップと、前記第１の電力を前記受電装置に対して提示するステップの後に、前記受電装置が真正であるか否かを判定するステップと、前記受電装置が真正であると判定された場合に、前記第１の電力より大きい第２の電力を供給可能な電力として前記受電装置に対して提示するステップとを実行させる。
【発明の効果】
【００１１】
本発明によれば、電力の授受を安全に行い得る電子機器およびその制御方法ならびにプログラムを提供することができる。
【図面の簡単な説明】
【００１２】
【図１】実施形態１における受電装置１００の構成を説明するためのブロック図である。
【図２Ａ】コネクタ１０１のピン配置を説明するための図である。
【図２Ｂ】コネクタ１２１のピン配置を説明するための図である。
【図３】実施形態１における受電装置１００の動作例を説明するためのフローチャートである。
【図４】実施形態１における受電装置１００の動作例を説明するためのタイミングチャートである。
【図５】実施形態１における送電装置１２０の構成を説明するためのブロック図である。
【図６】実施形態１における送電装置１２０の動作例を説明するためのフローチャートである。
【図７】実施形態１における送電装置１２０の動作例を説明するためのタイミングチャートである。
【発明を実施するための形態】
【００１３】
以下、図面を参照して本発明の実施形態を説明する。ただし、本発明は以下の実施形態に限定されるものではない。
【００１４】
［実施形態１］
＜１．受電装置＞
まず、図１を参照して実施形態１における受電装置１００の構成について説明する。図１は、実施形態１における受電装置１００の構成を説明するためのブロック図である。
【００１５】
送電装置１２０は、ＵＳＢケーブルを介して受電装置１００に電力を供給する電子機器である。実施形態１では、送電装置１２０が、ＡＣ電源をＤＣ電源に変換するＡＣアダプタ（またはＡＣ−ＵＳＢアダプタ）である場合を例に説明するが、送電装置１２０はこのような機器に限定されるものではない。例えば、送電装置１２０は、携帯型のバッテリであってもよい。なお、送電装置１２０の構成要素については、図５を用いて後述することとする。
【００１６】
受電装置１００は、ＵＳＢケーブルを介して送電装置１２０からの電力を受け取る電子機器である。実施形態１では、受電装置１００がデジタルカメラである場合を例に説明するが、受電装置１００はデジタルカメラに限定されるものではない。
【００１７】
受電装置１００は、図１に示すように、コネクタ１０１、プルダウン抵抗１０２、ＰＤ通信部１０３、受電部１０４および負荷部１０５を有する。ただし、受電装置１００の構成要素は、図１に示す構成要素に限定されるものではない。
【００１８】
コネクタ１０１は、ＵＳＢ  Ｔｙｐｅ−Ｃ規格のレセプタクルである。コネクタ１０１は、送電装置１２０から供給される電力を受け取るためのＵＳＢケーブルに備えられたコネクタ（プラグ）に接続される。コネクタ１０１は、図２Ａに示すようなピン配置を有する。図２Ａは、コネクタ１０１のピン配置を説明するための図である。コネクタ１０１は、逆挿しした場合であっても正常に動作すべく、点対称なピン配置となっている。コネクタ１０１は、電力を供給するためのＶＢＵＳ端子、給電能力に関する情報を送電装置１２０から取得するためのＣＣ（コンフィギュレーションチャネル、Ｃｏｎｆｉｇｕｒａｔｉｏｎ  Ｃｈａｎｎｅｌ）端子を有している。また、コネクタ１０１は、信号の基準となるＧＮＤ（グラウンド）端子を有している。ＴＸ端子（ＴＸ１＋、ＴＸ１−、ＴＸ２＋、ＴＸ２−）は信号送信用の端子であり、ＲＸ端子（ＲＸ１＋、ＲＸ１−、ＲＸ２＋、ＲＸ２−）は信号受信用の端子であり、これらは高速データ伝送に対応し得る。ＳＢＵ端子（ＳＢＵ１、ＳＢＵ２）は、サイドバンド信号端子であり、多様な用途に適宜用い得る。Ｄ＋端子およびＤ−端子は、ＵＳＢ２．０をサポートするために用いられる。
【００１９】
プルダウン抵抗（Ｒｄ）１０２の一端は、コネクタ１０１のＣＣ端子に接続されている。プルダウン抵抗１０２の他端は、ＧＮＤに接続されている。プルダウン抵抗１０２は、ＵＳＢ  Ｔｙｐｅ−Ｃ規格に規定されている抵抗値を有する。プルダウン抵抗１０２は、送電装置１２０と受電装置１００との接続を判定する際に必要とされる。また、プルダウン抵抗１０２は、受電装置１００が送電装置１２０の給電能力をＣＣ端子の電圧値に基づいて判定する際に必要とされる。
【００２０】
ＰＤ通信部１０３は、コネクタ１０１のＣＣ端子に接続されている。ＰＤ通信部１０３は、ＵＳＢ  ＰＤ規格に基づく通信を実行し得ると共に、接続された送電装置１２０がＵＳＢ  ＰＤ規格に対応可能か否かを判定し得る。
【００２１】
送電装置１２０がＵＳＢ  ＰＤ通信を行うことが可能である場合、受電装置１００は、ＵＳＢ  ＰＤ規格に規定された通信プロトコルに基づいたネゴシエーション通信をＰＤ通信部１０３によって行い、送電装置１２０に対して所望の電力の供給を要求する。また、受電装置１００は、ＵＳＢ  ＰＤ規格に規定された通信プロトコルに基づいた認証通信をＰＤ通信部１０３によって行い、送電装置１２０がＵＳＢ  ＰＤ規格に真正に対応した装置であるか否かの認証を行う。なお、送電装置１２０が真正であることは、送電装置１２０がＵＳＢ規格に準拠していることと同義である。実施形態１において、ＰＤ通信部１０３が送電装置１２０に対して要求し得る電力の種類は、少なくとも２種類とする。ＰＤ通信部１０３が送電装置１２０に対して要求し得る電力の１つは、送電装置１２０がＵＳＢ  ＰＤ規格に真正に対応しているか否かの判定を受電装置１００が行うのに必要な最低限の電力とする。このように、ＰＤ通信部１０３は、送電装置１２０に対して電力の供給を要求する要求手段として機能し得る。
【００２２】
受電部１０４は、コネクタ１０１のＶＢＵＳ端子に接続されている。受電部１０４は、送電装置１２０から供給される電力を用いて受電装置１００の各部に必要な電力を供給する。受電部１０４は、ＰＤ通信部１０３からの指示に基づいて、送電装置１２０から受け取る電力を制御する。コネクタ１０１のＧＮＤ端子は、ＧＮＤに接続されている。
【００２３】
負荷部１０５は、不図示の各種モジュールによって構成される。負荷部１０５が動作すると、受電部１０４から供給される電力を消費する。負荷部１０５によって消費される電力は、受電装置１００の動作状態によって変化する。例えば、上述したように、受電装置１００は例えばデジタルカメラである。この場合、負荷部１０５を構成する各種モジュールは、被写体像をズーム、フォーカスする撮像レンズ、被写体像を電気的な画像情報に変換する撮像素子、取得された画像情報を表示するＬＣＤ等の表示部、各種スイッチを含む操作部などである。
【００２４】
次に、図３のフローチャートを参照して、実施形態１における受電装置１００の動作例について説明する。
【００２５】
送電装置１２０がコネクタ１０１を介して受電装置１００に接続されると、ステップＳ３０１において、ＰＤ通信部１０３は、ＵＳＢ  ＰＤ規格の通信プロトコルに基づいて、送電装置１２０との間で情報の送受信を開始する。送電装置１２０と受電装置１００との間で送受信される情報のうちには、送電装置１２０が受電装置１００に供給可能な電力に関する情報も含まれる。
【００２６】
ステップＳ３０２において、ＰＤ通信部１０３は、所定のネゴシエーション通信に基づいて、送電装置１２０がＵＳＢ  ＰＤ規格に対応しているか否かを判定する。具体的には、ＰＤ通信部１０３は、ＵＳＢ  ＰＤ規格の通信プロトコルに基づいた所定の情報を送電装置１２０から受信したか否かに応じて、接続された送電装置１２０がＵＳＢ  ＰＤ規格に対応しているか否かを判定する。ＵＳＢ  ＰＤ規格の通信プロトコルに基づいた所定の情報を正しく受信できなかった場合、または、所定の期間内に通信を受信できなかった場合には、ＰＤ通信部１０３は、接続された送電装置１２０がＵＳＢ  ＰＤ規格に対応していないと判定する。ここで、所定の情報とは、接続された送電装置１２０が供給可能な電力に関する情報である。実施形態１においては、例えば、送電装置１２０が０．５Ｗ（５Ｖ、１００ｍＡ）、１５Ｗ（５Ｖ、３Ａ）および２０Ｗ（２０Ｖ、１Ａ）の電力を受電装置１００に対して供給可能とする。従って、所定の情報は、例えば、０．５Ｗ（５Ｖ、１００ｍＡ）、１５Ｗ（５Ｖ、３Ａ）および２０Ｗ（２０Ｖ、１Ａ）を示す情報である。また、所定の期間は、ＵＳＢ  ＰＤ規格に規定された期間であればよく、例えば、３１０ｍｓとすることができるが、これに限定されるものではない。
【００２７】
送電装置１２０がＵＳＢ  ＰＤ規格に対応していないとＰＤ通信部１０３が判定した場合には（ステップＳ３０２でＮＯ）、ステップＳ３０９に遷移する。ステップＳ３０９において、ＰＤ通信部１０３は、通信処理を停止する。ここで、ＰＤ通信部１０３は、ＵＳＢ  Ｔｙｐｅ−Ｃ規格に準拠した電力の供給を受けるように受電部１０４を制御するようにしてもよい。
【００２８】
送電装置１２０がＵＳＢ  ＰＤ規格に対応しているとＰＤ通信部１０３が判定した場合には（ステップＳ３０２でＹＥＳ）、ステップＳ３０３に遷移する。ステップＳ３０３において、ＰＤ通信部１０３は、ＵＳＢ  ＰＤ規格の通信プロトコルに基づく情報の送受信によって、送電装置１２０に対して第１の電力の供給を要求する。第１の電力は、ＵＳＢ規格に規定された範囲内の任意の電力である。第１の電力は、ステップＳ３０５の認証通信の動作を受電装置１００が行うことが可能となる最低限の電力とすることができる。第１の電力は、上述した所定の情報に含まれる供給可能な電力の情報のうちから選択される。ここでは、第１の電力として、例えば０．５Ｗ（５Ｖ、１００ｍＡ）が選択される場合を例に説明する。
【００２９】
次に、ステップＳ３０４に遷移する。ステップＳ３０４において、受電部１０４は、ＰＤ通信部１０３からの制御に基づいて、送電装置１２０から供給を受ける電力が第１の電力以下となるように制御を行う。ここでは、送電装置１２０から供給を受ける電流値を１００ｍＡ以下に制御する場合を例に説明する。受電部１０４は、送電装置１２０から供給される電力を用いて、少なくともステップＳ３０５およびＳ３０６の認証の処理を行い得るように、受電装置１００の各部に電力を供給する。この段階では、ステップＳ３０５およびＳ３０６の認証の処理さえ行えればよいため、負荷部１０５における消費電力が抑制されるように負荷部１０５の動作を制限するようにしてもよい。
【００３０】
次に、ステップＳ３０５に遷移する。ステップＳ３０５において、ＰＤ通信部１０３は、ＵＳＢ  ＰＤ規格の通信プロトコルに基づく情報の送受信を行う。具体的には、送電装置１２０がＵＳＢ  ＰＤ規格に真正に対応しているか否かの認証を、受電装置１００が送電装置１２０に対して要求する。
【００３１】
続いて、ステップＳ３０６において、ＰＤ通信部１０３は、送電装置１２０がＵＳＢ  ＰＤ規格に真正に対応しているか否かを判定する。具体的には、ＰＤ通信部１０３は、ＵＳＢ  ＰＤ規格の通信プロトコルに基づく所定の認証情報を送電装置１２０から受信したか否かに基づいて、接続された送電装置１２０がＵＳＢ  ＰＤ規格に真正に対応しているか否かを判定する。このように、ＰＤ通信部１０３は、送電装置１２０が真正であるか否かを判定する判定手段として機能し得る。
【００３２】
ＰＤ通信部１０３は、ＵＳＢ  ＰＤ規格の通信プロトコルに基づく所定の認証情報を正しく受信できなかった場合、または、所定の期間内に認証情報を受信できなかった場合には、以下のように判定する。すなわち、ＰＤ通信部１０３は、接続された送電装置１２０がＵＳＢ  ＰＤ規格に真正に対応していないと判定する。所定の期間は、ＵＳＢ  ＰＤ規格に規定された期間であればよく、例えば、４．５秒の期間とすることができるが、これに限定されるものではない。
【００３３】
送電装置１２０がＵＳＢ  ＰＤ規格に真正に対応していないとＰＤ通信部１０３が判定した場合には（ステップＳ３０６でＮＯ）、ステップＳ３０９に遷移する。ステップＳ３０９において、ＰＤ通信部１０３は通信処理を停止する。ステップＳ３０６からステップＳ３０９に遷移した場合、ＰＤ通信部１０３は、受電部１０４に対する制御を行わず、ステップＳ３０４において設定した第１の電力を、受電装置１００が送電装置１２０から継続して受けるようにしてもよい。
【００３４】
送電装置１２０がＵＳＢ  ＰＤ規格に真正に対応しているとＰＤ通信部１０３が判定した場合には（ステップＳ３０６でＹＥＳ）、ステップＳ３０７に遷移する。ステップＳ３０７において、ＰＤ通信部１０３は、ＵＳＢ  ＰＤ規格の通信プロトコルに基づいた情報の送受信を行う。具体的には、送電装置１２０に対して第２の電力の供給を要求する。第２の電力は、ＵＳＢ規格に規定された範囲内の任意の電力である。第２の電力は、例えば第１の電力より大きい電力とすることができ、受電装置１００の例えば全体を動作させるのに必要な電力とすることができる。第２の電力は、上述した所定の情報に含まれる供給可能な電力の情報のうちから選択される。ここでは、第２の電力として、例えば２０Ｗ（２０Ｖ、１Ａ）が選択される場合を例に説明する。
【００３５】
次に、ステップＳ３０８に遷移する。ステップＳ３０８において、受電部１０４は、ＰＤ通信部１０３からの制御に基づいて、送電装置１２０から受け取る電力が第２の電力以下となるように制御を行う。ここでは、送電装置１２０から受け取る電流値を１Ａ以下に制御する場合を例に説明する。また、受電部１０４は、送電装置１２０から供給される電力を用いて、受電装置１００の例えば全体を動作させることが可能となるように、受電装置１００の各部に電力を供給する。負荷部１０５における消費電力が抑制されるように負荷部１０５の動作をステップＳ３０４において制限した場合には、ステップＳ３０８において、当該制限を解除するようにしてもよい。こうして、図３に示す処理が完了する。
【００３６】
次に、実施形態１における受電装置１００の動作例について説明する。図４（Ａ）は、比較例に対応するタイミングチャートである。図４（Ｂ）は、実施形態１に対応するタイミングチャートであり、図３に示すような制御によって受電装置１００が送電装置１２０から電力を受け取る場合の動作に対応している。
【００３７】
図４（Ａ）および図４（Ｂ）において、ＣＣ端子の電圧は、コネクタ１０１のＣＣ端子に印加される電圧値である。受電装置１００と送電装置１２０とがＵＳＢケーブルを介して接続された状態では、ＣＣ端子の電圧は２．４５Ｖとなる。一方、受電装置１００と送電装置１２０とが未接続の状態では、ＣＣ端子の電圧は０Ｖとなる。ＣＣ端子の電圧値は、ＵＳＢ  Ｔｙｐｅ−Ｃ規格に対応していればよく、図４（Ａ）および図４（Ｂ）に示す電圧値に限定されるものではない。タイミングＴ４０１は、ＵＳＢケーブルがコネクタ１０１に接続されるタイミングであり、図３のステップＳ３０１に遷移するタイミングに対応している。通信４０１〜４１４は、受電装置１００と送電装置１２０との間でＣＣ端子を介して行われる。
【００３８】
図４（Ａ）は、上述したように、比較例による動作を示すタイミングチャートである。通信４０１、４０２、４０３および４０４は、ＵＳＢ  ＰＤ規格で規定されたネゴシエーション通信を示しており、通信４０５および４０６は、ＵＳＢ  ＰＤ規格で規定された認証通信を示している。
【００３９】
通信４０１では、供給可能な電力に関する情報を、受電装置１００が送電装置１２０から受信する。通信４０１は、図３のステップＳ３０１およびＳ３０２に示す処理に対応している。通信４０１において受電装置１００が送電装置１２０から受信する、供給可能な電力に関する情報は、例えば、０．５Ｗ（５Ｖ、１００ｍＡ）、１５Ｗ（５Ｖ、３Ａ）および２０Ｗ（２０Ｖ、１Ａ）とする。
【００４０】
通信４０２では、電力の供給の要求を、受電装置１００が送電装置１２０に対して行う。ここでは、例えば２０Ｗ（２０Ｖ、１Ａ）の電力の供給を、受電装置１００が送電装置１２０に対して行う場合を例として説明する。
【００４１】
通信４０３では、受電装置１００からの要求を送電装置１２０が承諾したことを示す情報を、受電装置１００が送電装置１２０から受信する。通信４０３が完了した後、送電装置１２０は、ＶＢＵＳ端子に供給可能な電力を、通信４０２の内容に応じて変更する。
【００４２】
タイミングＴ４０２は、ＶＢＵＳ端子に供給可能な電力の変更の処理を送電装置１２０が完了するタイミングである。
【００４３】
通信４０４では、ＶＢＵＳ端子に供給可能な電力の変更の処理を送電装置１２０が完了したことを示す情報を、受電装置１００が送電装置１２０から受信する。通信４０４は、タイミングＴ４０２の後に行われる。なお、ＵＳＢ  ＰＤ規格には、通信４０４の後に認証通信が可能となることが規定されている。
【００４４】
通信４０５では、送電装置１２０がＵＳＢ  ＰＤ規格に真正に対応しているか否かの認証の要求を、受電装置１００が送電装置１２０に対して行う。通信４０６では、所定の認証情報を受電装置１００が送電装置１２０から受信する。送電装置１２０がＵＳＢ  ＰＤ規格に真正に対応している場合には、通信４０６が行われ、送電装置１２０がＵＳＢ  ＰＤ規格に真正に対応していない場合には、通信４０６は行われない。
【００４５】
タイミングＴ４０３は、通信４０５と通信４０６とを含む認証通信の結果に基づいて、送電装置１２０がＵＳＢ  ＰＤ規格に真正に対応しているか否かの判定を受電装置１００が行うタイミングである。
【００４６】
このように、図４（Ａ）に示す制御においては、タイミングＴ４０２〜Ｔ４０３において、ＵＳＢ  ＰＤ規格に真正に対応しているか否かが不明な送電装置１２０から受電装置１００が大きな電力を受け取ることになるため、安全性を担保できない。
【００４７】
図４（Ｂ）は、上述したように、実施形態１に対応するタイミングチャートであり、図３に示すような制御によって受電装置１００が送電装置１２０から電力供給を受ける場合の動作に対応している。通信４０１、４０７、４０８および４０９は、ＵＳＢ  ＰＤ規格で規定されたネゴシエーション通信を示しており、第１の電力の供給の要求が受電装置１００から送電装置１２０に対して行われる。通信４０５および４０６は、ＵＳＢ  ＰＤ規格で規定された認証通信を示している。通信４１０、４１１、４１２、４１３および４１４は、ＵＳＢ  ＰＤ規格で規定されたネゴシエーション通信を示しており、第２の電力の供給の要求が受電装置１００から送電装置１２０に対して行われる。
【００４８】
通信４０１は、図４（Ａ）を用いて上述した通信４０１と同様である。通信４０１では、供給可能な電力に関する情報を、受電装置１００が送電装置１２０から受信する。上述したように、通信４０１は、図３のステップＳ３０１およびＳ３０２に示す処理に対応している。通信４０１を正しく受信できなかった場合、または、所定の期間内に通信４０１を受信できなかった場合には、受電装置１００は、接続された送電装置１２０がＵＳＢ  ＰＤ規格に対応していないと判定する。
【００４９】
通信４０７では、第１の電力の供給の要求が、受電装置１００から送電装置１２０に対して行われる。通信４０７は、図３のステップＳ３０３に示す処理に対応している。ここでは、第１の電力が０．５Ｗ（５Ｖ、１００ｍＡ）である場合を例に説明する。
【００５０】
通信４０８では、第１の電力の供給の要求を送電装置１２０が承諾したことを示す情報を、受電装置１００が送電装置１２０から受信する。通信４０８が完了した後、送電装置１２０は、ＶＢＵＳ端子に供給可能な電力を、通信４０７の内容に応じて変更する。
【００５１】
タイミングＴ４０２は、図４（Ａ）に示すタイミングＴ４０２と同様であり、ＶＢＵＳ端子に供給可能な電力の変更の処理を送電装置１２０が完了するタイミングである。ただし、図４（Ｂ）に示す動作においては、受電装置１００がタイミングＴ４０２において送電装置１２０から受け取ることが可能な電力は、ステップＳ３０５の認証通信の動作を受電装置１００が行うことが可能な最低限の電力とされる。
【００５２】
通信４０９では、ＶＢＵＳ端子に供給可能な電力の変更の処理を送電装置１２０が完了したことを示す情報を、受電装置１００が送電装置１２０から受信する。通信４０９は、タイミングＴ４０２の後に行われる。なお、ＵＳＢ  ＰＤ規格には、通信４０９の後に認証通信が可能となることが規定されている。
【００５３】
通信４０５および４０６は、図４（Ａ）を用いて上述した通信４０５および４０６と同様である。通信４０５および４０６は、図３のステップＳ３０５およびＳ３０６に示す処理に対応している。受電装置１００は、通信４０６を受信することによって、送電装置１２０がＵＳＢ  ＰＤ規格に真正に対応していると判定する。
【００５４】
タイミングＴ４０３は、図４（Ａ）に示すタイミングＴ４０３と同様である。通信４０５と通信４０６とを含む認証通信の結果に基づいて、送電装置１２０がＵＳＢ  ＰＤ規格に真正に対応しているか否かの判定が、受電装置１００において行われる。ここでは、送電装置１２０がＵＳＢ  ＰＤ規格に真正に対応している場合を例に説明する。
【００５５】
通信４１０では、供給可能な電力に関する情報の提供の要求を、受電装置１００が送電装置１２０に対して行う。
【００５６】
通信４１１では、供給可能な電力に関する情報を、受電装置１００が送電装置１２０から受信する。通信４１１において受電装置１００が送電装置１２０から受信する、供給可能な電力に関する情報は、例えば、０．５Ｗ（５Ｖ、１００ｍＡ）、１５Ｗ（５Ｖ、３Ａ）および２０Ｗ（２０Ｖ、１Ａ）とする。
【００５７】
通信４１２では、第２の電力の供給の要求を、受電装置１００が送電装置１２０に対して行う。通信４１０、通信４１１および通信４１２は、図３のステップＳ３０７に示す処理に対応している。ここでは、第２の電力が例えば２０Ｗ（２０Ｖ、１Ａ）である場合を例に説明する。
【００５８】
通信４１３では、第２の電力の供給を送電装置１２０が承諾したことを示す情報を、受電装置１００が送電装置１２０から受信する。通信４１３を行った後、送電装置１２０は、ＶＢＵＳ端子に供給可能な電力を、通信４１２の内容に応じて変更する。
【００５９】
タイミングＴ４０４は、ＶＢＵＳ端子に供給可能な電力の変更の処理を送電装置１２０が完了するタイミングである。図４（Ｂ）に示すように、実施形態１による動作では、第１の電力より大きい第２の電力の供給を受電装置１００が送電装置１２０から受けることが可能となるタイミングは、タイミングＴ４０４である。
【００６０】
通信４１４では、ＶＢＵＳ端子に供給可能な電力の変更の処理を送電装置１２０が完了したことを示す情報を、受電装置１００が送電装置１２０から受信する。通信４１４は、タイミングＴ４０４の後に行われる。受電装置１００は、通信４１４が完了した後に、図３のステップＳ３０８の処理を行う。
【００６１】
このように、実施形態１では、送電装置１２０の素性が明確になるタイミングＴ４０３までの期間においては、必要最低限の電力である第１の電力を受電装置１００が送電装置１２０から受け取る。そして、送電装置１２０の素性が明確になるタイミングＴ４０３以降において、第１の電力より大きい第２の電力を受電装置１００が送電装置１２０から受け取るようになる。
【００６２】
このように、実施形態１では、第１の電力の供給をＰＤ通信部１０３によって送電装置１２０に対して要求した後に、送電装置１２０が真正であるか否かをＰＤ通信部１０３によって判定する。送電装置１２０が真正であることがＰＤ通信部１０３によって判定された場合には、第１の電力より大きい第２の電力の供給をＰＤ通信部１０３によって送電装置１２０に対して要求する。送電装置１２０が真正であることがＰＤ通信部１０３によって判定されるまでは、ＰＤ通信部１０３は第２の電力の供給を送電装置１２０に要求しない。このため、実施形態１によれば、受給電の安全性を確保することができる。
【００６３】
＜２．送電装置＞
次に、図５を参照して、実施形態１における送電装置１２０の構成について説明する。図５は、実施形態１における送電装置１２０の構成を説明するためのブロック図である。
【００６４】
送電装置１２０は、図５に示すように、コネクタ１２１、プルアップ抵抗１２２、ＰＤ通信部１２３および送電部１２４を有する。ただし、送電装置１２０の構成要素は、これに限定されるものではない。
【００６５】
コネクタ１２１は、ＵＳＢ  Ｔｙｐｅ−Ｃ規格のレセプタクルである。コネクタ１２１は、受電装置１００に電力を供給するためのＵＳＢケーブルに備えられたコネクタ（プラグ）に接続される。コネクタ１２１は、図２Ｂに示すようなピン配置を有している。コネクタ１２１は、電力を供給するＶＢＵＳ端子、給電能力に関する情報を受電装置１００に提示するためのＣＣ端子を有している。また、コネクタ１２１は、信号の基準となるＧＮＤ端子等を有している。ＴＸ端子（ＴＸ１＋、ＴＸ１−、ＴＸ２＋、ＴＸ２−）は信号送信用の端子であり、ＲＸ端子（ＲＸ１＋、ＲＸ１−、ＲＸ２＋、ＲＸ２−）は信号受信用の端子であり、これらは高速データ伝送に対応し得る。ＳＢＵ端子（ＳＢＵ１、ＳＢＵ２）は、サイドバンド信号端子であり、多様な用途に適宜用い得る。Ｄ＋端子およびＤ−端子は、ＵＳＢ２．０をサポートするために用いられる。
【００６６】
プルアップ抵抗１２２の一端は、コネクタ１２１のＣＣ端子に接続されている。プルアップ抵抗１２２の他端は、所定の電源に接続されている。プルアップ抵抗１２２は、ＵＳＢ  Ｔｙｐｅ−Ｃ規格に規定されている抵抗値を有する。プルアップ抵抗１２２は、送電装置１２０が受電装置１００の接続を判定する際に必要とされる。また、プルアップ抵抗１２２は、送電装置１２０が受電装置１００に給電能力を提示する際に必要とされる。所定の電源は、Ｔｙｐｅ−Ｃ規格に規定されている条件を満たせばよく、例えば、５Ｖの定電圧電源とすることができる。
【００６７】
ＰＤ通信部１２３は、コネクタ１２１のＣＣ端子に接続されている。ＰＤ通信部１２３は、ＵＳＢ  ＰＤ規格に基づく通信を実行し得ると共に、接続された受電装置１００がＵＳＢ  ＰＤ規格に対応可能か否かを判定し得る。
【００６８】
受電装置１００がＵＳＢ  ＰＤ通信を行うことが可能である場合、送電装置１２０は、ＵＳＢ  ＰＤ規格に規定された通信プロトコルに基づいたネゴシエーション通信をＰＤ通信部１２３によって行い、供給可能な電力を示す情報を受電装置１００に送信する。また、送電装置１２０は、ＵＳＢ  ＰＤ規格に規定された通信プロトコルに基づいた認証通信をＰＤ通信部１２３によって行い、送電装置１２０がＵＳＢ  ＰＤ規格に真正に対応していることを示す認証通信を受電装置１００に対して行う。なお、受電装置１００が真正であることは、受電装置１００がＵＳＢ規格に準拠していることと同義である。実施形態１において、送電装置１２０が受電装置１００に対して供給可能な電力の種類は、少なくとも２つとする。供給可能な複数種の電力のうちの１つは、受電装置１００の安全を考慮した低い電力である。低い電力とは、例えば、ＵＳＢ規格で規定された最低の電力とすることができる。このように、ＰＤ通信部１２３は、供給可能な電力を示す情報を受電装置１００に対して提示する提示手段として機能し得る。
【００６９】
送電部１２４は、コネクタ１２１のＶＢＵＳ端子と接続されている。送電部１２４は、コネクタ１２１のＶＢＵＳ端子を介して、受電装置１００に対して電力を供給する。送電部１２４は、ＰＤ通信部１２３からの指示に基づいて、受電装置１００に供給する電力を制御する。このように、送電部１２４は、受電装置１００に対して電力を供給する電力供給手段として機能し得る。
【００７０】
次に、図６のフローチャートを参照して、実施形態１における送電装置１２０の動作例について説明する。
【００７１】
受電装置１００がコネクタ１２１を介して送電装置１２０に接続されると、ステップＳ６０１において、ＰＤ通信部１２３は、ＵＳＢ  ＰＤ規格の通信プロトコルに基づいて、受電装置１００との間で情報の送受信を開始する。
【００７２】
ステップＳ６０２において、ＰＤ通信部１２３は、供給可能な電力を示す情報として、第１の電力を示す情報を送信する。第１の電力は、受電装置１００の安全を考慮した低い電力とする。具体的には、第１の電力は、例えば、ＵＳＢ規格に規定された電力のうちの最も低い電力とする。ここでは、第１の電力が０．５Ｗ（５Ｖ、１００ｍＡ）である場合を例に説明する。
【００７３】
ステップＳ６０３において、ＰＤ通信部１２３は、所定のネゴシエーション通信に基づいて、受電装置１００がＵＳＢ  ＰＤ規格に対応しているか否かを判定する。具体的には、ＰＤ通信部１２３は、ＵＳＢ  ＰＤ規格の通信プロトコルに基づいた所定の情報を受電装置１００が返信したか否かに応じて、接続された受電装置１００がＵＳＢ  ＰＤ規格に対応しているか否かを判定する。ステップＳ６０２において行われた情報の送信に対する返信を、送電装置１２０が受電装置１００から受け取らなかった場合には、ＰＤ通信部１２３は、接続された受電装置１００がＰＤ規格に対応していないと判定する。このように、ＰＤ通信部１２３は、受電装置１００が真正であるか否かを判定する判定手段として機能し得る。
【００７４】
受電装置１００がＵＳＢ  ＰＤ規格に対応していないとＰＤ通信部１２３が判定した場合には（ステップＳ６０３でＮＯ）、ステップＳ６１１に遷移する。ステップＳ６１１において、ＰＤ通信部１２３は、通信処理を停止する。この際、ＰＤ通信部１２３は、ＵＳＢ  Ｔｙｐｅ−Ｃ規格に準拠した電力を受電装置１００に供給するように送電部１２４を制御するようにしてもよい。また、ＰＤ通信部１２３は、受電装置１００への電力の供給を停止するように送電部１２４を制御するようにしてもよい。
【００７５】
受電装置１００がＵＳＢ  ＰＤ規格に対応しているとＰＤ通信部１２３が判定した場合には（ステップＳ６０３でＹＥＳ）、ステップＳ６０４に遷移する。ステップＳ６０４において、ＰＤ通信部１２３は、ＵＳＢ  ＰＤ規格の通信プロトコルに基づく情報の送受信によって、第１の電力の供給の要求を受電装置１００から受信する。上述したように、ここでは、第１の電力が０．５Ｗ（５Ｖ、１００ｍＡ）である場合を例に説明する。
【００７６】
次に、ステップＳ６０５に遷移する。ステップＳ６０５において、送電部１２４は、ＰＤ通信部１２３からの指示に基づいて、受電装置１００への第１の電力の供給を開始する。ここでは、受電装置１００に供給する電圧が５Ｖとなり、受電装置１００に供給する電流が１００ｍＡ以下となるように、送電部１２４が制御を行う場合を例に説明する。
【００７７】
次に、ステップＳ６０６に遷移する。ステップＳ６０６において、ＰＤ通信部１２３は、ＵＳＢ  ＰＤ規格の通信プロトコルに基づいて情報の送受信を行う。具体的には、受電装置１００がＵＳＢ  ＰＤ規格に真正に対応しているか否かの認証を、送電装置１２０が受電装置１００に対して要求する。
【００７８】
続いて、ステップＳ６０７において、ＰＤ通信部１２３は、受電装置１００がＵＳＢ  ＰＤ規格に真正に対応しているか否かを判定する。具体的には、ＰＤ通信部１２３は、ＵＳＢ  ＰＤ規格の通信プロトコルに基づく所定の認証情報を受電装置１００から受け取ったか否かに基づいて、接続された受電装置１００がＵＳＢ  ＰＤ規格に真正に対応しているか否かを判定する。
【００７９】
ＰＤ通信部１２３は、ＵＳＢ  ＰＤ規格の通信プロトコルに基づく所定の認証情報を正しく受信できなかった場合、または、所定の期間内に当該認証情報を受信できなかった場合には、以下のように判定する。すなわち、ＰＤ通信部１２３は、接続された受電装置１００はＵＳＢ  ＰＤ規格に真正に対応していないと判定する。所定の期間は、ＵＳＢ  ＰＤ規格に規定された期間であればよく、例えば４．５秒の期間とすることができるが、これに限定されるものではない。
【００８０】
受電装置１００がＵＳＢ  ＰＤ規格に真正に対応していないとＰＤ通信部１２３が判定した場合には（ステップＳ６０７でＮＯ）、ステップＳ６１１に遷移する。ステップＳ６１１において、ＰＤ通信部１２３は通信処理を停止する。ステップＳ６０７からステップＳ６１１へ遷移した場合、ＰＤ通信部１２３は、送電部１２４に対する制御を行わず、ステップＳ６０５において設定した第１の電力の供給を受電装置１００に対して継続するようにしてもよい。
【００８１】
受電装置１００がＵＳＢ  ＰＤ規格に真正に対応しているとＰＤ通信部１２３が判定した場合には（ステップＳ６０７でＹＥＳ）、ステップＳ６０８に遷移する。ステップＳ６０８において、ＰＤ通信部１２３は、ＵＳＢ  ＰＤ規格の通信プロトコルに基づいた情報の送受信を行う。具体的には、供給可能な第２の電力を示す情報を、送電装置１２０が受電装置１００に対して送信する。供給可能な第２の電力を示す情報には、第１の電力より大きい電力を示す情報が含まれる。ここでは、供給可能な第２の電力が、０．５Ｗ（５Ｖ、１００ｍＡ）、１５Ｗ（５Ｖ、３Ａ）および２０Ｗ（２０Ｖ、１Ａ）である場合を例に説明する。
【００８２】
次に、ステップＳ６０９に遷移する。ステップＳ６０９において、ＰＤ通信部１２３は、ＵＳＢ  ＰＤ規格の通信プロトコルに基づいた情報の送受信を行う。具体的には、ＰＤ通信部１２３は、第２の電力の供給を要求する通信を受電装置１００から受信する。受電装置１００から要求される第２の電力は、ステップＳ６０８において提示された第２の電力を示す情報のうちから選択される。ここでは、第２の電力として、例えば２０Ｗ（２０Ｖ、１Ａ）が選択される場合を例に説明する。
【００８３】
次に、ステップＳ６１０に遷移する。ステップＳ６１０において、送電部１２４は、ＰＤ通信部１２３からの指示に基づいて、受電装置１００に対しての第２の電力の供給を開始する。ここでは、受電装置１００に供給する電圧が２０Ｖ、受電装置１００に供給する電流が１Ａ以下となるように、送電部１２４が制御を行う場合を例に説明する。
【００８４】
次に、図７（Ａ）および図７（Ｂ）を参照して、実施形態１における送電装置１２０の動作例について説明する。図７（Ａ）および図７（Ｂ）は、送電装置１２０の動作例を説明するためのタイミングチャートである。図７（Ａ）は、受電装置１００がＵＳＢ  ＰＤ規格に真正に対応していない場合の動作例を示している。図７（Ｂ）は、受電装置１００がＵＳＢ  ＰＤ規格に真正に対応している場合の動作例を示している。
【００８５】
図７（Ａ）および図７（Ｂ）において、ＣＣ端子の電圧は、コネクタ１２１のＣＣ端子に印加される電圧値である。受電装置１００と送電装置１２０とがＵＳＢケーブルを介して接続された状態では、ＣＣ端子の電圧は２．４５Ｖとなる。一方、受電装置１００と送電装置１２０とが未接続の状態では、ＣＣ端子の電圧は５Ｖとなる。ＣＣ端子の電圧値は、ＵＳＢ  Ｔｙｐｅ−Ｃ規格に対応していればよく、図７（Ａ）および図７（Ｂ）に示す電圧値に限定されるものではない。タイミングＴ７０１は、ＵＳＢケーブルがコネクタ１２１に接続され、図６のステップＳ６０１に遷移するタイミングに対応している。通信７０１〜７１０は、受電装置１００と送電装置１２０との間でＣＣ端子を介して行われる。通信７０１、７０２、７０３および７０４は、ＵＳＢ  ＰＤ規格で規定されたネゴシエーション通信であり、第１の電力の提示が行われる。通信７０５および７０６は、ＵＳＢ  ＰＤ規格で規定された認証通信である。さらに、通信７０７、７０８、７０９および７１０は、ＵＳＢ  ＰＤ規格で規定されたネゴシエーション通信であり、第２の電力の提示が行われる。
【００８６】
まず、受電装置１００がＵＳＢ  ＰＤ規格に真正に対応していない場合の動作を、図７（Ａ）を用いて説明する。
通信７０１では、供給可能な第１の電力に関する情報を、送電装置１２０が受電装置１００に対して送信する。通信７０１は、図６のステップＳ６０２に示す処理に対応している。供給可能な第１の電力は、例えば０．５Ｗ（５Ｖ、１００ｍＡ）のみとする。受電装置１００からの返信を送電装置１２０が受信できなかった場合には、送電装置１２０は受電装置１００がＵＳＢ  ＰＤ規格に対応していないと判定する。
【００８７】
通信７０２では、第１の電力の供給の要求を、送電装置１２０が受電装置１００から受信する。通信７０２は、図６のステップＳ６０４に示す処理に対応している。ここでは、０．５Ｗ（５Ｖ、１００ｍＡ）の電力の供給の要求を、送電装置１２０が受電装置１００から受信する場合を例に説明する。
【００８８】
通信７０３では、第１の電力の供給の要求を送電装置１２０が承諾したことを示す情報を、送電装置１２０が受電装置１００に対して送信する。通信７０３を行った後、送電装置１２０は、ＶＢＵＳ端子に供給可能な電力を、通信７０２の内容に応じて変更する。
【００８９】
タイミングＴ７０２は、ＶＢＵＳ端子に供給可能な電力の変更の処理を送電装置１２０が完了するタイミングである。タイミングＴ７０２の時点において送電装置１２０が受電装置１００に対して供給する電力は、受電装置１００の安全性を考慮した低い電力である。
【００９０】
通信７０４では、ＶＢＵＳ端子に供給可能な電力の変更の処理を送電装置１２０が完了したことを示す情報を、送電装置１２０が受電装置１００に対して送信する。通信７０４は、タイミングＴ７０２の後に行われる。なお、通信７０３および７０４は、図６のステップＳ６０５に示す処理に対応している。なお、ＵＳＢ  ＰＤ規格では、通信７０２の後に認証通信が可能となることが規定されている。
【００９１】
通信７０５では、受電装置１００がＵＳＢ  ＰＤ規格に真正に対応しているか否かの認証の要求が、送電装置１２０から受電装置１００に対して行われる。なお、通信７０５は、図６のステップＳ６０６に示す処理に対応している。受電装置１００がＵＳＢ  ＰＤ規格に真正に対応していない場合には、図７（Ａ）に示すように、送電装置１２０は受電装置１００から認証結果を受信しない。タイミングＴ７０３は、受電装置１００がＵＳＢ  ＰＤ規格に真正に対応していないと送電装置１２０が判定するタイミングである。タイミングＴ７０３の後、図６のステップＳ６１１に示すように、送電装置１２０は、受電装置１００との間の通信を停止する。この後、送電装置１２０は、通信７０１〜７０４のネゴシエーション通信において決定された電力の受電装置１００への供給を継続する。
【００９２】
受電装置１００がＵＳＢ  ＰＤ規格に真正に対応している場合の動作を、図７（Ｂ）を用いて説明する。
【００９３】
まず、通信７０１〜７０５は、図７（Ａ）を用いて上述した通信７０１〜７０５と同様であるため説明を省略する。
【００９４】
通信７０６では、受電装置１００がＵＳＢ  ＰＤ規格に真正に対応していることを示す認証結果を、送電装置１２０が受電装置１００から受信する。通信７０５および７０６は、図６のステップＳ６０６およびＳ６０７に示す処理に対応している。図６のステップＳ６０７に示すように、送電装置１２０は、通信７０６を受信した場合には、受電装置１００がＵＳＢ  ＰＤ規格に真正に対応していると判定する。
【００９５】
タイミングＴ７０４は、通信７０５と通信７０６とを含む認証通信の結果に基づいて、受電装置１００がＵＳＢ  ＰＤ規格に真正に対応していることを送電装置１２０が判定するタイミングである。
【００９６】
通信７０７は、供給可能な第２の電力を示す情報を、送電装置１２０が受電装置１００に対して送信する。通信７０７は、図６のステップＳ６０８に示す処理に対応している。供給可能な第２の電力を示す情報には、通信７０１において提示された第１の電力よりもより大きな電力を示す情報が含まれる。供給可能な第２の電力を示す情報は、例えば、０．５Ｗ（５Ｖ、１００ｍＡ）、１５Ｗ（５Ｖ、３Ａ）および２０Ｗ（２０Ｖ、１Ａ）とする。
【００９７】
通信７０８では、第２の電力の供給の要求を、送電装置１２０が受電装置１００から受信する。通信７０８は、図６のステップＳ６０９に示す処理に対応している。ここでは、第２の電力が２０Ｗ（２０Ｖ、１Ａ）である場合を例に説明する。
【００９８】
通信７０９は、第２の電力の供給を送電装置１２０が承諾したことを示す情報を、送電装置１２０が受電装置１００に対して送信する。通信７０９を行った後、送電装置１２０は、ＶＢＵＳ端子に供給可能な電力を、通信７０８の内容に応じて変更する。
【００９９】
タイミングＴ７０５は、ＶＢＵＳ端子に供給可能な電力の変更の処理を送電装置１２０が完了するタイミングである。図７（Ｂ）に示すように、タイミングＴ７０５においては、第１の電力より大きい第２の電力を送電装置１２０が受電装置１００に対して供給することが可能となる。
【０１００】
通信７１０では、ＶＢＵＳ端子に供給可能な電力を変更する処理を送電装置１２０が完了したことを示す情報を、送電装置１２０が受電装置１００に送信する。通信７１０は、タイミングＴ７０５の後に行われる。なお、通信７０９および７１０は、図６のステップＳ６１０に示す処理に対応している。
【０１０１】
このように、受電装置１００の素性が明確になるタイミングＴ７０４までの期間においては、必要最低限の電力である第１の電力の供給を送電装置１２０が受電装置１００に対して行う。そして、受電装置１００の素性が明確になるタイミングＴ７０４以降において、第１の電力より大きい第２の電力を、送電装置１２０が受電装置１００に対して供給する。
【０１０２】
このように、実施形態１によれば、第１の電力を示す情報をＰＤ通信部１２３によって受電装置１００に対して提示した後に、受電装置１００が真正であるか否かをＰＤ通信部１２３によって判定する。受電装置１００が真正であることがＰＤ通信部１２３によって判定された場合には、第１の電力より大きい第２の電力を示す情報をＰＤ通信部１２３によって受電装置１００に対して提示する。受電装置１００が真正であることがＰＤ通信部１２３によって判定されるまでは、第２の電力を示す情報をＰＤ通信部１２３によって提示しない。このため、実施形態１によれば、送電装置１２０の安全性を担保することが可能となる。
【０１０３】
［実施形態２］
実施形態１で説明した様々な機能、処理または方法は、パーソナルコンピュータ、マイクロコンピュータ、ＣＰＵ（ｃｅｎｔｒａｌ  ｐｒｏｃｅｓｓｉｎｇ  ｕｎｉｔ）、プロセッサなどがプログラムを用いて実現することもできる。以下、実施形態２では、パーソナルコンピュータ、マイクロコンピュータ、ＣＰＵ、プロセッサなどを「コンピュータＸ」と呼ぶ。また、実施形態２では、コンピュータＸを制御するためのプログラムであって、実施形態１で説明した様々な機能、処理または方法を実現するためのプログラムを「プログラムＹ」と呼ぶ。
【０１０４】
実施形態１で説明した様々な機能、処理または方法は、コンピュータＸがプログラムＹを実行することによって実現される。この場合において、プログラムＹは、コンピュータ読み取り可能な記憶媒体を介してコンピュータＸに供給される。実施形態２におけるコンピュータ読み取り可能な記憶媒体は、ハードディスク装置、磁気記憶装置、光記憶装置、光磁気記憶装置、メモリカード、揮発性メモリ、不揮発性メモリなどの少なくとも１つを含む。実施形態２におけるコンピュータ読み取り可能な記憶媒体は、ｎｏｎ−ｔｒａｎｓｉｔｏｒｙな記憶媒体である。
【０１０５】
なお、本発明の実施形態は上述の実施形態１または２に限定されるものではない。発明の要旨を逸脱しない範囲で変更または修正された実施形態１または２も本発明の実施形態に含まれる。
【符号の説明】
【０１０６】
１００・・・受電装置
１０１・・・コネクタ
１０２・・・プルダウン抵抗
１０３・・・ＰＤ通信部
１０４・・・受電部
１０５・・・負荷部
１２０・・・送電装置
１２１・・・コネクタ
１２２・・・プルアップ抵抗
１２３・・・ＰＤ通信部
１２４・・・送電部
【図１】
2019121268.tif 000003
【図２Ａ】
2019121268.tif 000004
【図２Ｂ】
2019121268.tif 000005
【図３】
2019121268.tif 000006
【図４】
2019121268.tif 000007
【図５】
2019121268.tif 000008
【図６】
2019121268.tif 000009
【図７】
2019121268.tif 000010